(57)【要約】【課題】時刻信号を受信して時刻情報を取得し、取得した時刻を表示する消費電力が少ない電波時計を提供する。【解決手段】電波時計１は、パイロットチャンネル信号、およびシンクチャンネル信号を含む通信方式で送信された通信信号を受信する電波受信部１０と、パイロットチャンネル信号から、同期情報を取得し通信信号と同期を取る同期部３５と、同期が取られた通信信号からシンクチャンネル信号を復調して復号することで、シンクチャンネル信号のデータを取得するデータ取得部４０と、取得されたデータと、このデータよりも前に取得され保持されたデータ列のデータとを比較することで、データ列における位置を推定するデータ位置推定部６０と、推定されたデータ列の位置から、次のデータ列の先頭を受信するまでの時間を算出する所要時間算出部８５と、算出された時間に基づき、通信信号の受信動作の中断を制御する受信制御部８０とを備える。【選択図】図１
2008180690.tif 000002
【特許請求の範囲】
【請求項１】
パイロットチャンネル信号と、所定のデータ列が周期的に連続するシンクチャンネル信号とを含む所定の通信方式により、基地局から送信された通信信号を受信する受信手段と、
前記通信信号に含まれる前記パイロットチャンネル信号から、前記基地局との通信のための同期情報を取得し、前記取得した同期情報に基づき前記通信信号と同期を取る同期手段と、
前記同期が取られた通信信号からシンクチャンネル信号を復調し、当該復調したシンクチャンネル信号を復号することで、前記シンクチャンネル信号のデータを取得するデータ取得手段と、
前記取得されたデータと、当該データよりも前に取得され保持された前記データ列を含むデータとを比較することにより、前記取得されたデータの前記データ列における位置を推定する推定手段と、
前記推定されたデータ列の位置から、次のデータ列の先頭を受信するまでに所要する時間を算出する算出手段と、
前記算出された時間に基づき、前記通信信号の受信に関する動作の中断を制御する制御手段とを備えることを特徴とする受信装置。
【請求項２】
請求項１に記載の受信装置において、
前記推定手段は、基準となる前記データ列を記憶する記憶手段と、
前記取得されたデータと、前記記憶されたデータ列とを比較する比較手段とを備えることを特徴とする受信装置。
【請求項３】
請求項２に記載の受信装置において、
前記データ列は、時刻に関する情報を少なくとも含む一方のデータ領域と、
時刻の経過に応じてデータが更新される可能性が小さい他方のデータ領域とを含み、
前記推定手段は、
前記取得されたデータが示す時刻に関する情報の中で、更新される頻度が少ない領域を比較対象とすることにより、前記取得されたデータが、前記一方のデータ領域に含まれるか、否かを判定すると共に、
前記取得されたデータの中で、所定の配置パターンを示す領域を比較対象とすることにより、前記取得されたデータが、前記他方のデータ領域に含まれるか、否かを判定することを特徴とする受信装置。
【請求項４】
請求項１乃至３のいずれか１項に記載の受信装置において、
前記制御手段は、前記算出された時間が基準値よりも短い場合、前記受信に関する動作の中断を指示しないことを特徴とする受信装置。
【請求項５】
請求項１乃至４のいずれか１項に記載の受信装置において、
前記所定の通信方式は、ＣＤＭＡ通信方式であることを特徴とする受信装置。
【請求項６】
時刻情報を含む通信信号を受信する電波時計であって、
請求項１乃至５のいずれか１項に記載の受信装置を備えることを特徴とする電波時計。
【請求項７】
パイロットチャンネル信号と、所定のデータ列が周期的に連続するシンクチャンネル信号とを含む所定の通信方式により、基地局から送信された通信信号を受信する受信手段と、
前記通信信号に含まれる前記パイロットチャンネル信号から、前記基地局との通信のための同期情報を取得し、前記取得した同期情報に基づき前記通信信号と同期を取る同期手段と、
前記同期が取られた通信信号からシンクチャンネル信号を復調し、当該復調したシンクチャンネル信号を復号することで、前記シンクチャンネル信号のデータを取得するデータ取得手段と、
前記取得されたデータと、当該データよりも前に取得され保持された前記データ列を含むデータとを比較することにより、前記取得されたデータの前記データ列における位置を推定する推定手段と、
前記推定されたデータ列の位置から、次のデータ列の先頭を受信するまでに所要する時間を算出する算出手段と、
前記算出された時間に基づき、前記通信信号の受信に関する動作の中断を制御する制御手段とを備えることを特徴とする受信モジュール。
【請求項８】
パイロットチャンネル信号と、所定のデータ列が周期的に連続するシンクチャンネル信号とを含む所定の通信方式により、基地局から送信された通信信号を受信する受信工程と、
前記通信信号に含まれる前記パイロットチャンネル信号から、前記基地局との通信のための同期情報を取得し、前記取得した同期情報に基づき前記通信信号と同期を取る同期工程と、
前記同期が取られた通信信号からシンクチャンネル信号を復調し、当該復調したシンクチャンネル信号を復号することで、前記シンクチャンネル信号のデータを取得するデータ取得工程と、
前記取得されたデータと、当該データよりも前に取得され保持された前記データ列を含むデータとを比較することにより、前記取得されたデータの前記データ列における位置を推定する推定工程と、
前記推定されたデータ列の位置から、次のデータ列の先頭を受信するまでに所要する時間を算出する算出工程と、
前記算出された時間に基づき、前記通信信号の受信に関する動作の中断を制御する制御工程とを備えることを特徴とする受信方法。
【発明の詳細な説明】
【技術分野】
【０００１】
本発明は、時刻情報を含む通信信号を受信する受信装置、電波時計、受信モジュールおよび受信方法に関する。
【背景技術】
【０００２】
電波により送信される時刻信号を受信して、正確な時刻情報を表示する電波時計は、地上基地局から送信される長波帯域の標準電波や、ＧＰＳ（Ｇｌｏｂａｌ  Ｐｏｓｉｔｉｏｎｉｎｇ  Ｓｙｓｔｅｍ）衛星から送信される極超短波帯域の時刻信号を受信する方法が知られている。更に、近年では下記特許文献１に記載されているように、移動通信を目的として、ＣＤＭＡ（Ｃｏｄｅ  Ｄｉｖｉｓｉｏｎ  Ｍｕｌｔｉｐｌｅ  Ａｃｃｅｓｓ）変調されて送信される極超短波帯域の電波に含まれる時刻信号を受信して、正確な時刻を取得する時計装置が提案されている。このような極超短波帯域の電波は、種々の中継局から遍く中継されるため、長波帯域の標準電波やＧＰＳ衛星からの電波と比較して、建物の中や地下のような様々な移動先においても、良好に受信できることが知られている。また、ＣＤＭＡ方式の電波を受信する時計装置は、受信開始時において、パイロットチャンネルの信号を復調して基地局との間で同期を取った後に、シンクチャンネルの信号を復調して復号することにより、ＧＰＳ時刻、うるう秒、ローカルオフセットおよびサマータイムの情報等を含む時刻情報を取得できることが知られている。
【０００３】
【特許文献１】特開２０００−３２１３８３号公報
【発明の開示】
【発明が解決しようとする課題】
【０００４】
上記した時計装置により、ＣＤＭＡ電波を受信して、パイロットチャンネルの信号を復調し、基地局との間で同期を取った後に、シンクチャンネルの信号を復号して時刻情報を取得する場合、シンクチャンネルの信号は、時刻情報を含むデータ列が一定の周期で連続することから、データ列から時刻情報を抽出するためには、データ列のデータを先頭から取得する必要があった。従って、復号されたデータの中からデータ列の先頭を検出し、検出された先頭からデータを取得して時刻情報を抽出した。しかしながら、最初に復号されたシンクチャンネルのデータを取得してから、次のデータ列の先頭のデータを取得するまでの間においても、受信動作を継続する必要があった。従って、受信動作を継続することで相当の電力が消費されることから、時計装置や、このような時計装置を含む情報処理装置の消費電力を低減することは難しかった。
【課題を解決するための手段】
【０００５】
本発明は、上述の課題の少なくとも一部を解決するためになされたものであり、以下の形態又は適用例として実現することが可能である。
【０００６】
本適用例にかかる受信装置は、パイロットチャンネル信号と、所定のデータ列が周期的に連続するシンクチャンネル信号とを含む所定の通信方式により、基地局から送信された通信信号を受信する受信手段と、前記通信信号に含まれる前記パイロットチャンネル信号から、前記基地局との通信のための同期情報を取得し、前記取得した同期情報に基づき前記通信信号と同期を取る同期手段と、前記同期が取られた通信信号からシンクチャンネル信号を復調し、当該復調したシンクチャンネル信号を復号することで、前記シンクチャンネル信号のデータを取得するデータ取得手段と、前記取得されたデータと、当該データよりも前に取得され保持された前記データ列を含むデータとを比較することにより、前記取得されたデータの前記データ列における位置を推定する推定手段と、前記推定されたデータ列の位置から、次のデータ列の先頭を受信するまでに所要する時間を算出する算出手段と、前記算出された時間に基づき、前記通信信号の受信に関する動作の中断を制御する制御手段とを備えることを特徴とする。
【０００７】
このような構成によれば、受信された通信信号に含まれるパイロットチャンネル信号から同期情報を取得し、取得された同期情報に基づき通信信号と同期を取り、通信信号に含まれるシンクチャンネル信号のデータを復号して取得する。続いて、取得されたデータと、このデータよりも前に取得され保持されたデータ列のデータとを比較することで、取得されたデータのデータ列における位置を推定する。続いて、推定された位置から、次のデータ列の先頭を受信するまでに所要する時間を算出し、算出された時間に応じて、通信信号を受信する受信動作を中断する。この結果、パイロットチャンネル信号で同期を取り、シンクチャンネル信号からデータが取得されるのを契機として、次のデータ列の先頭が受信されるまでの時間に渡り、受信動作は中断される。従って、その間に消費される電力は削減されることから、受信装置の消費電力の低減を図ることができる。
【０００８】
上記適用例にかかる受信装置では、前記推定手段は、基準となる前記データ列を記憶する記憶手段と、前記取得されたデータと、前記記憶されたデータ列とを比較する比較手段とを備えても良い。
【０００９】
上記適用例にかかる受信装置では、前記データ列は、時刻に関する情報を少なくとも含む一方のデータ領域と、時刻の経過に応じてデータが更新される可能性が小さい他方のデータ領域とを含み、前記推定手段は、前記取得されたデータが示す時刻に関する情報の中で、更新される頻度が少ない領域を比較対象とすることにより、前記取得されたデータが、前記一方のデータ領域に含まれるか、否かを判定すると共に、前記取得されたデータの中で、所定の配置パターンを示す領域を比較対象とすることにより、前記取得されたデータが、前記他方のデータ領域に含まれるか、否かを判定することが好ましい。
この発明によれば、時刻に関する情報の中で、更新される頻度が少ない領域を比較対象とすることで、時刻の変動の影響を受けることなく、時刻情報を含むデータ同士の比較ができると共に、所定の配置パターンを示す領域を比較対象とすることで、時刻情報を含まないデータ同士を精度良く比較できる。
【００１０】
上記適用例にかかる受信装置では、前記制御手段は、前記算出された時間が基準値よりも短い場合、前記受信に関する動作の中断を指示しないことが好ましい。
この発明によれば、受信動作を中断する時間が基準値よりも短い場合は、受信動作を中断させないため、動作を切替える際の遅延によるデータの取得ミスを防げる。
【００１１】
上記適用例にかかる受信装置では、前記所定の通信方式は、ＣＤＭＡ通信方式であっても良い。そして、前述の受信装置を電波時計に適用することで、低消費電力の電波時計を提供できる。
【００１２】
本適用例にかかる受信モジュールは、パイロットチャンネル信号と、所定のデータ列が周期的に連続するシンクチャンネル信号とを含む所定の通信方式により、基地局から送信された通信信号を受信する受信手段と、前記通信信号に含まれる前記パイロットチャンネル信号から、前記基地局との通信のための同期情報を取得し、前記取得した同期情報に基づき前記通信信号と同期を取る同期手段と、前記同期が取られた通信信号からシンクチャンネル信号を復調し、当該復調したシンクチャンネル信号を復号することで、前記シンクチャンネル信号のデータを取得するデータ取得手段と、前記取得されたデータと、当該データよりも前に取得され保持された前記データ列を含むデータとを比較することにより、前記取得されたデータの前記データ列における位置を推定する推定手段と、前記推定されたデータ列の位置から、次のデータ列の先頭を受信するまでに所要する時間を算出する算出手段と、前記算出された時間に基づき、前記通信信号の受信に関する動作の中断を制御する制御手段とを備えることを特徴とする。
このような構成によれば、受信された通信信号に含まれるパイロットチャンネル信号から同期情報を取得し、取得された同期情報に基づき通信信号と同期を取り、通信信号に含まれるシンクチャンネル信号のデータを復号して取得する。続いて、取得されたデータと、このデータよりも前に取得され保持されたデータ列のデータとを比較することで、取得されたデータのデータ列における位置を推定する。続いて、推定された位置から、次のデータ列の先頭を受信するまでに所要する時間を算出し、算出された時間に応じて、通信信号を受信する受信動作を中断する。この結果、パイロットチャンネル信号で同期を取り、シンクチャンネル信号からデータが取得されるのを契機として、次のデータ列の先頭が受信されるまでの時間に渡り、受信動作は中断される。従って、その間に消費される電力は削減されることから、受信装置の消費電力の低減を図ることができる。
【００１３】
本適用例にかかる受信方法は、パイロットチャンネル信号と、所定のデータ列が周期的に連続するシンクチャンネル信号とを含む所定の通信方式により、基地局から送信された通信信号を受信する受信工程と、前記通信信号に含まれる前記パイロットチャンネル信号から、前記基地局との通信のための同期情報を取得し、前記取得した同期情報に基づき前記通信信号と同期を取る同期工程と、前記同期が取られた通信信号からシンクチャンネル信号を復調し、当該復調したシンクチャンネル信号を復号することで、前記シンクチャンネル信号のデータを取得するデータ取得工程と、前記取得されたデータと、当該データよりも前に取得され保持された前記データ列を含むデータとを比較することにより、前記取得されたデータの前記データ列における位置を推定する推定工程と、前記推定されたデータ列の位置から、次のデータ列の先頭を受信するまでに所要する時間を算出する算出工程と、前記算出された時間に基づき、前記通信信号の受信に関する動作の中断を制御する制御工程とを備えることを特徴とする。
【００１４】
このような方法によれば、受信された通信信号に含まれるパイロットチャンネル信号から同期情報を取得し、取得された同期情報に基づき通信信号と同期を取り、通信信号に含まれるシンクチャンネル信号のデータを復号して取得する。続いて、取得されたデータと、このデータよりも前に取得され保持されたデータ列のデータとを比較することで、取得されたデータのデータ列における位置を推定する。続いて、推定された位置から、次のデータ列の先頭を受信するまでに所要する時間を算出し、算出された時間に応じて、通信信号を受信する受信動作を中断する。この結果、パイロットチャンネル信号で同期を取り、シンクチャンネル信号からデータが取得されるのを契機として、次のデータ列の先頭が受信されるまでの時間に渡り、受信動作は中断される。従って、その間に消費される電力は削減されることから、受信装置の消費電力の低減を図ることができる。
【発明を実施するための最良の形態】
【００１５】
以下、本発明の実施形態を図面に基づいて説明する。
【００１６】
（実施形態１）
図１は、実施形態１に係る受信装置を適用した電波時計１の構成を示すブロック図である。電波時計１は、ＣＤＭＡ変調されて送信される極超短波帯域の電波に含まれる時刻情報を受信して、時刻情報が有する正確な時刻を表示する。この電波時計１は、時刻情報がＣＤＭＡ変調されて送信された電波を、アンテナ１５を用いて受信する電波受信部１０と、電波受信部１０で受信された電波の高周波信号をベースバンド信号に変換すると共に、ＡＤ変換してデジタル信号に変換するＲＦ処理部２０と、位相が直交する２つのデジタル信号（Ｉ信号、Ｑ信号）に対してＣＤＭＡの復調処理を施し、時刻情報を含むデータを復号するベースバンド処理部３０と、復号されたデータから時刻に関する情報を抽出する時刻情報抽出部９０と、抽出された時刻情報を出力する時刻情報出力部９５と、この電波時計１における受信機能を制御する受信制御部８０とを備える。
【００１７】
ベースバンド処理部３０は、同期部３５と、データ取得部４０と、データ位置推定部６０と、所要時間算出部８５とを備える。同期部３５は、高周波信号に含まれるパイロットチャンネル信号から、基地局からのデジタル信号と同期を取るための同期情報を取得し、同期情報に基づき基地局からのデジタル信号と同期を取る。また、データ取得部４０は、同期が取られたデジタル信号からシンクチャンネル信号を復調し、復調されたシンクチャンネル信号を復号することで、シンクチャンネル信号のデータを取得する機能を有する。このデータ取得部４０は、逆拡散部４５と、変調判定部５０と、復号部５５とを備える。更に、データ位置推定部６０は、データ取得部４０から送られたシンクチャンネル信号のデータと、このデータよりも前に取得され保持されたデータ列のデータとを比較することにより、取得されたデータのデータ列における位置を推定する機能を有する。このデータ位置推定部６０は、データ記憶部６５と、データ比較部７０とを備える。
【００１８】
本実施形態１では、Ｉ信号およびＱ信号は、それぞれ同期部３５と逆拡散部４５に入力される。同期部３５は、基地局を識別するために短周期ＰＮコードのタイミング同期をベースバンド信号から取り、逆拡散部４５に通知する。逆拡散部４５は、通知されたタイミング同期に基づいて、Ｉ信号とＱ信号に短周期ＰＮコードを乗算すると共に、チャネライゼーション符号であるＷａｌｓｈコードの０番を乗算して積分することでパイロットチャンネル信号を復調し、Ｗａｌｓｈコードの３２番を乗算して積分することでシンクチャンネル信号を復調する。尚、パイロットチャンネル信号は、基地局と受信機の同期を取るために用いられる。シンクチャンネル信号は、基地局から時刻情報やシステム設定情報等を通知するために用いられる。変調判定部５０は、パイロットチャンネル信号により位相回転を除外し、シンクチャンネル信号の二位相偏移変調（ＢＰＳＫ）データを判定する。復号部５５は、基地局からのデータ送信時にリピータおよびインターリーバにより施されたデータの順序の並び換えを、デインターリーバおよびデリピータにより元の順序に戻す。更に、復号部５５は、送信時に施された畳み込み符号化処理と逆の処理を、図示を略した誤り訂正処理部で処理することにより、１２８ビット単位で送信されたデータを３２ビット単位に復元する。このデータ取得部４０で復号されたデータのうち、シンクチャンネル信号は、データ位置推定部６０と、時刻情報抽出部９０に送られる。尚、本実施形態１では、電波時計１による受信処理の開始のように、最初に復号されたデータのデータ列における位置が不明な場合は、データ位置推定部６０に送られるように構成されている。他方で、データ列における位置が既知である場合や、データ列の位置を正確に推定できないような場合は、時刻情報抽出部９０に送られるように構成されている。
【００１９】
ここで、シンクチャンネル信号のデータ構成について、図２および図３を参照して説明する。図２は、シンクチャンネル信号のメッセージデータのデータ領域を説明する図である。また、図３は、シンクチャンネル信号のメッセージデータの分割を説明する図である。シンクチャンネル信号のメッセージデータは、一定の繰り返し周期で連続するデータ列である。１つのデータ列は、図２に示すように、所定のビット数でそれぞれ定義された複数のフィールドを含む。これらフィールドの中で、基地局を識別するためのＰＩＬＯＴ＿ＰＮと、通話のためのパラメータであるＬＣ＿ＳＴＡＴＥと、時刻情報を含むＳＹＳ＿ＴＩＭＥとは、メッセージデータが取得される毎に、データの値が変動する可能性が極めて大きいフィールドである。他方で、これら以外のフィールドは、時間の経過に応じて更新される可能性が小さい。特に、連続するメッセージデータが取得される場合は、略同値である可能性が極めて大きいフィールドである。尚、これらのフィールドの中で、ＭＳＧ＿ＬＥＮＧＴＨとＣＲＣとを除いたフィールドは、ＭｅｓｓａｇｅＢｏｄｙと呼ばれ、２〜１１４６ビットの範囲で定義される。また、ＣＲＣは、ＭＳＧ＿ＬＥＮＧＴＨとＭｅｓｓａｇｅＢｏｄｙにおいて、ビットデータの誤りをチェックするための符号列である。
【００２０】
図３に示すように、シンクチャンネル信号のメッセージデータは、ＭＳＧ＿ＬＥＮＧＴＨ、ＭｅｓｓａｇｅＢｏｄｙ、ＣＲＣおよびＰａｄｄｉｎｇで構成される。シンクチャンネル信号のメッセージデータは、９３ビットの単位で構成されるため、１つのメッセージデータの長さは、９３ビットの整数倍になる。Ｐａｄｄｉｎｇは、このデータ長さを確保するために０ビットで構成されるデータである。また、図３に示すように、シンクチャンネル信号のデータは、３２ビット単位の９ブロックで区切られ、それぞれのブロックの先頭には、先頭を示すＳＯＭ（Ｓｔａｒｔ  Ｏｆ  Ｍｅｓｓａｇｅ）ビットが付加される。このＳＯＭビットには、メッセージデータのデータ列の先頭を示すビット（ＳＯＭ１）と、それぞれのブロックの先頭を示すビット（ＳＯＭ０）とが定義される。これらのブロックの中で、前記したデータの値が変動する可能性が極めて大きいフィールドは、３ブロック、４ブロックおよび５ブロックに含まれる。
【００２１】
図１に戻り、データ位置推定部６０に入力されたシンクチャンネル信号のデータは、データ比較部７０において、データ記憶部６５に記憶された基準となるデータ列のデータと比較される。この結果、入力されたデータのデータ列における位置、即ち、入力されたデータが属するメッセージデータのフィールド、が推定される。本実施形態１では、データ比較部７０は、取得されたデータが示す時刻に関する情報の中で、更新される頻度が少ないデータ領域を比較対象として比較する。この比較結果により、データ位置推定部６０は、取得されたデータが、データの値が変動する可能性が極めて大きいフィールドに含まれるか、否かを判定する。他方で、データ比較部７０は、取得されたデータの中で所定の配置パターンを示すデータ領域を比較対象として比較する。この比較結果により、データ位置推定部６０は、取得されたデータが、時間の経過に応じて更新される可能性が小さいフィールドに含まれるか、否かを判定する。これらの判定を、それぞれのフィールドに適用することで、データ位置推定部６０はデータ列の位置を推定する。推定されたデータ列の位置に関する情報は、所要時間算出部８５に送られる。尚、データ列の各フィールドにおけるデータ比較の詳細は、後述する。
【００２２】
所要時間算出部８５は、推定されたデータ列の位置に関する情報から、次のデータ列の先頭を受信するまでに所要する時間を算出する。本実施形態１では、データ列の長さとデータの伝送速度は既知である。従って、最初に復号されたデータのデータ列における位置が推定できた場合は、次のデータ列の先頭が復調されるまでの時間を算出できる。例えば、本実施形態１において、シンクチャンネル信号のデータ列を１１４６ビットとし、伝送速度を１．２ｋｂｐｓとすると、データ列の先頭から最後までは１秒程度を要する。従って、次のデータ列の先頭を受信するまでに所要する時間は１秒以下の値であり、本実施形態１では、所定の精度まで算出できるように構成されている。この所要時間算出部８５により算出された時間に関する情報は、受信制御部８０に送られる。
受信制御部８０は、所要時間算出部８５により算出された時間に基づき、シンクチャンネル信号の受信に関する動作の中断を制御する。本実施形態１では、受信制御部８０は、電波受信部１０、ＲＦ処理部２０およびベースバンド処理部３０の少なくとも１つの機能部に対して高精度で制御できるように構成されている。
【００２３】
上記したこれらの各機能部は、図示は略すが、電気回路で実現させても良く、また、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）およびメモリカード等で構成され、これらのハードウェアとソフトウェアとを協働させて実現しても良い。
【００２４】
図４は、電波時計１により時刻情報が表示される処理の流れを説明するフローチャートである。また、図５は、パイロットチャンネル信号とシンクチャンネル信号との関係を説明する図である。図４のフローチャートの説明と理解を容易にすべく、図５も参照して説明する。この処理が開始されると、最初に、ステップＳ１００において、電波時計１は、時刻情報を含むＣＤＭＡ変調された信号を受信する（図５のＴ０）。次に、ステップＳ１０５において、電波時計１は、受信した信号からパイロットチャンネル信号を復調し、同期を取る。
次に、ステップＳ１１０において、電波時計１は、受信した信号と同期を取れたか、否かを判定する。ここで、受信した信号と同期を取れない場合（ステップＳ１１０でＮｏ）、ステップＳ１０５に戻り、同期を取れるまで待機する。尚、本実施形態１では、パイロットチャンネル信号の受信を開始してから、同期を取るまで２６．６ｍ秒程度を要する。他方で、受信した信号と同期を取れた場合（ステップＳ１１０でＹｅｓ）、ステップＳ１１５において、電波時計１は、受信した信号に含まれるシンクチャンネル信号の復調を開始する（図５のＴ１）。
【００２５】
次に、ステップＳ１２０において、電波時計１は、シンクチャンネル信号の復調を開始し、最初に復調されたデータを取得する。続いて、ステップＳ１２５において、電波時計１は、最初に復調されたデータから、データ列のデータ領域を推定し、データ領域に応じて受信動作を制御する。尚、この処理の詳細は後述する。
次に、ステップＳ１３０において、電波時計１は、シンクチャンネル信号の復調されたデータの中から、１つのデータ列（図５のシンクチャンネルメッセージ２）の全てのデータに渡り、そのデータ列の先頭から順次取得する（図５のＴ３〜Ｔ４）。
次に、ステップＳ１３５において、電波時計１は、取得したデータ列に含まれる時刻情報を含むＳＹＳ＿ＴＩＭＥを含むフィールドから時刻情報を抽出する。
次に、ステップＳ１４０において、電波時計１は、抽出した時刻情報を所定の表示形式に変換して表示する。以上の処理により、電波時計１は、受信した信号から時刻情報を抽出すると共に、抽出した時刻情報を表示する。
【００２６】
図６は、データ列のデータ領域を推定し、データ領域に応じて受信動作を制御する処理（図４のステップＳ１２５）の詳細を説明するフローチャートである。この処理が開始されると、最初に、ステップＳ１５０において、電波時計１は、最初に復調されたデータから、メッセージデータのデータ列の先頭を示すビット（ＳＯＭ１）を検出できるか否かを判定する。ここで、ＳＯＭ１を検出した場合（ステップＳ１５０でＹｅｓ）、ステップＳ１５５に進み、電波時計１は、最初に復調されたデータが１ブロックであると推定し、ステップＳ２０５に進む。他方で、ＳＯＭ１を検出しない場合（ステップＳ１５０でＮｏ）、ステップＳ１６０に進み、電波時計１は記憶された基準となるデータ列のデータを読み出す。
【００２７】
次に、ステップＳ１６５において、電波時計１は、基準となるデータ列のＳＩＤまたはＮＩＤの値と、最初に復調されたデータとが一致するか、否かを判定する。このＳＩＤおよびＮＩＤは、通信キャリア等を識別するためのＩＤの一種であり、時刻の経過により変化しないため、ＳＩＤやＮＩＤのビットパターンを比較することで、最初に復調されたデータが２ブロックか、否かを判定できる。この判定の結果、基準となるデータ列のＳＩＤまたはＮＩＤの値と、最初に復調されたデータとが一致する場合（ステップＳ１６５でＹｅｓ）、ステップＳ１７０に進み、電波時計１は、最初に復調されたデータが２ブロックであると推定し、ステップＳ２１０に進む。他方で、基準となるデータ列のＳＩＤまたはＮＩＤの値と、最初に復調されたデータとが一致しない場合（ステップＳ１６５でＮｏ）、電波時計１は、最初に復調されたデータが２ブロックではないと判定し、ステップＳ１７５に進む。
【００２８】
次に、ステップＳ１７５において、電波時計１は、基準となるデータ列のＬＰ＿ＳＥＣ、ＬＴＭ＿ＯＦＦ、ＤＡＹＬＴ、ＰＲＡＴ、ＣＤＭＡ＿ＦＲＥＱまたはＥＸＴ＿ＣＤＭＡ＿ＦＲＥＱの値と、最初に復調されたデータとが一致するか、否かを判定する。これらのフィールドの値は、時刻の経過により変化しないため、これらの値のビットパターンを比較することで、最初に復調されたデータが６ブロックか、否かを判定できる。この判定の結果、基準となるデータ列の上記したフィールドの値と、最初に復調されたデータとが一致する場合（ステップＳ１７５でＹｅｓ）、ステップＳ１８０に進み、電波時計１は、最初に復調されたデータが６ブロックであると推定し、ステップＳ２１０に進む。他方で、基準となるデータ列の上記したフィールドの値と、最初に復調されたデータとが一致しない場合（ステップＳ１７５でＮｏ）、電波時計１は、最初に復調されたデータが６ブロックではないと判定し、ステップＳ１８５に進む。
【００２９】
次に、ステップＳ１８５において、電波時計１は、基準となるデータ列のＳＹＳ＿ＴＩＭＥの上位１０ビットと、最初に復調されたデータとが一致するか、否かを判定する。ここで、ＳＹＳ＿ＴＩＭＥは、時間の経過に伴い変動するフィールドであるが、４ブロックの下位１０ビットは、ＳＹＳ＿ＴＩＭＥの上位１０ビットを示し、４ヶ月程度は更新されない領域であるため、この領域を比較対象とすることで、最初に復調されたデータが４ブロックか、否かを判定できる。この判定の結果、基準となるデータ列におけるＳＹＳ＿ＴＩＭＥの上位１０ビットの値と、最初に復調されたデータとが一致する場合（ステップＳ１８５でＹｅｓ）、ステップＳ１９０に進み、電波時計１は、最初に復調されたデータが４ブロックであると推定し、ステップＳ２１０に進む。他方で、基準となるデータ列におけるＳＹＳ＿ＴＩＭＥの上位１０ビットの値と、最初に復調されたデータとが一致しない場合（ステップＳ１８５でＮｏ）、電波時計１は、最初に復調されたデータが４ブロックではないと判定し、ステップＳ１９５に進む。尚、４ブロックであるか、否かの判定は、上記した方法に限定されるものでは無く、現在の時刻からＳＹＳ＿ＴＩＭＥのビット列を算出し、最初に復調されたデータと比較しても良い。
【００３０】
次に、ステップＳ１９５において、電波時計１は、基準となるデータ列のＳＹＳ＿ＴＩＭＥの上位１１ビット〜１７ビットと、最初に復調されたデータとが一致するか、否かを判定する。ここで、ＳＹＳ＿ＴＩＭＥは、５ブロックの上位６ビットは、ＳＹＳ＿ＴＩＭＥの上位１１ビット〜１７ビットを示し、１日程度は更新されない領域であるため、この領域を比較対象とすることで、最初に復調されたデータが５ブロックか、否かを判定できる。この判定の結果、基準となるデータ列におけるＳＹＳ＿ＴＩＭＥの上位１１ビット〜１７ビットの値と、最初に復調されたデータとが一致する場合（ステップＳ１９５でＹｅｓ）、ステップＳ２００に進み、電波時計１は、最初に復調されたデータが５ブロックであると推定し、ステップＳ２１０に進む。ステップＳ２１０において、電波時計１は、受信動作を中断する動作停止時間を、推定されたブロックに応じて算出する。続いて、ステップＳ２１５において、電波時計１は、算出された動作停止時間（図５のΔＴ〜Ｔ３）に従い、受信動作を中断して、一連の処理を終了する。
【００３１】
他方で、基準となるデータ列におけるＳＹＳ＿ＴＩＭＥの上位１１ビット〜１７ビットの値と、最初に復調されたデータとが一致しない場合（ステップＳ１９５でＮｏ）、電波時計１は、最初に復調されたデータが５ブロックではないと判定し、ステップＳ２０５に進む。ステップＳ２０５において、電波時計１は、受信動作を中断することなく、受信動作を継続して、一連の処理を終了する。以上の処理により、電波時計１は、最初に復調されたシンクチャンネル信号のデータに基づき、このデータのデータ列における位置を推定し、推定された位置から受信動作を中断する時間を算出し、算出された時間に従い、受信動作が中断される。尚、本実施形態１では、最初に復調されたデータが、１ブロック、３ブロック、７ブロック、８ブロックおよび９ブロックである場合、受信動作は中断されない。また、５ブロックであるか、否かの判定は、上記した方法に限定されるものでは無く、現在の時刻からＳＹＳ＿ＴＩＭＥのビット列を算出し、最初に復調されたデータと比較しても良い。
【００３２】
以上述べた実施形態１によれば、以下のような効果を奏する。
（１）電源を電池により供給される電波時計１は、消費電力の低減が図れることから、電池交換の頻度が減少する。特に、電波時計１を携帯電話や腕時計に適用した場合、消費電力が少ないことから、搭載する電池が低容量でも良いため、携帯電話や腕時計の小型化および軽量化を図れる。
【００３３】
（実施形態２）
次に、本発明の実施形態２について、図７および図８を参照して説明する。尚、以下の説明では、既に説明した部分と同じ部分については、同一符号を付してその説明を省略する。図７は、実施形態２に係る受信装置を適用した電波時計１の構成を示すブロック図であり、この図に示すように、本実施形態２の電波時計１は、実施形態１の電波時計１と比較して、最短停止時間を保持する基準値保持部８２が追加されている。ここで、最短停止時間は、受信制御部８０で受信動作を中断する最短時間であり、予め設定されている。また、図８は、実施形態２において、データ列のデータ領域を推定し、データ領域に応じて受信動作を制御する処理（図４のステップＳ１２５）の詳細を説明するフローチャートである。このフローチャートのステップＳ２１２において、電波時計１は、算出された動作停止時間と最短停止時間とを比較する。ここで、動作停止時間が基準値である最短停止時間よりも短い場合（ステップＳ２１２でＹｅｓ）、電波時計１は、ステップＳ２０５に進み、受信動作を中断することなく、受信動作を継続する。他方で、動作停止時間が最短停止時間よりも長い場合（ステップＳ２１２でＮｏ）、電波時計１は、ステップＳ２１５に進み、動作停止時間に従い、受信動作を中断する。
【００３４】
以上述べた実施形態２によれば、実施形態１で述べた（１）の効果に加え、以下のような効果を奏する。
（２）受信動作を中断する時間が、所定の最短停止時間よりも短い場合は、受信動作を中断しないため、受信動作を切替える際の、動作遅延によるデータの取得ミスを防止できる。
【００３５】
（実施形態３）
次に、本発明の実施形態３について図９を参照して説明する。図９は、実施形態１で述べた電波時計１の各機能部を含む受信モジュール３００の構成を示すブロック図である。この受信モジュール３００は、集積回路のように１チップ化された様態でも良く、また、基板上に複数の電子部品が実装された様態でも良い。尚、本実施形態３では、受信モジュール３００は実施形態１で述べた電波時計１の各機能部を採用するが、これに限定されるものでは無く、実施形態２で述べた電波時計１の各機能部を採用しても良い。この受信モジュール３００は、情報処理装置３５０に接続されると共に、受信モジュール３００の時刻情報出力部９５から出力される時刻情報は、情報処理装置３５０の時刻情報入力部３６０に入力され、情報処理装置３５０は必要に応じて時刻情報を参照する。
【００３６】
情報処理装置３５０は、本実施形態３では以下のような装置および用途を想定するが、これらに限定されるものでは無い。受信モジュール３００から時刻情報を取得する装置であれば、どのような装置や用途であっても良い。
・録画装置における録画予約のための計時
・有料放送受信装置における視聴時間計測
・株などの証券の電子取引装置における取引執行時刻確定
・文書作成装置における公文書の作成日時確定
・他の装置に組み込まれるリアルタイムクロックにおける計時
このように、情報処理装置３５０に受信モジュール３００を組み込むことにより、情報処理装置３５０は、正確な時刻情報を低消費電力で取得できる。
【００３７】
本発明の実施形態について、図面を参照して説明したが、具体的な構成は、これらの実施形態１〜３に限られるものではなく、本発明の要旨を逸脱しない範囲の設計変更等も含まれる。例えば、ＳＯＭビット毎に復調されるタイミングが来ることを前提にしたが、ＳＯＭビットと関係がないタイミングで復調する場合においても適用でき、メッセージデータ中で変化する頻度が少ないデータを基に、そのメッセージにおける該当する位置を推定しても良い。
【図面の簡単な説明】
【００３８】
【図１】本発明の実施形態１に係る電波時計の構成を示すブロック図。
【図２】シンクチャンネル信号のメッセージデータのデータ領域を説明する図。
【図３】シンクチャンネル信号のメッセージデータのデータ分割を説明する図。
【図４】本発明の実施形態１に係る電波時計により時刻情報が表示される処理の流れを説明するフローチャート。
【図５】パイロットチャンネル信号とシンクチャンネル信号との関係を説明する図。
【図６】本発明の実施形態１において、データ列のデータ領域を推定し、データ領域に応じて受信動作を制御する処理を説明するフローチャート。
【図７】本発明の実施形態２に係る電波時計の構成を示すブロック図。
【図８】本発明の実施形態２において、データ列のデータ領域を推定し、データ領域に応じて受信動作を制御する処理を説明するフローチャート。
【図９】本発明の実施形態３に係る受信モジュールの構成を示すブロック図。
【符号の説明】
【００３９】
１…電波時計、１０…電波受信部、１５…アンテナ、２０…ＲＦ処理部、３０…ベースバンド処理部、３５…同期部、４０…データ取得部、４５…逆拡散部、５０…変調判定部、５５…復号部、６０…データ位置推定部、６５…データ記憶部、７０…データ比較部、８０…受信制御部、８２…基準値保持部、８５…所要時間算出部、９０…時刻情報抽出部、９５…時刻情報出力部、３００…受信モジュール、３５０…情報処理装置、３６０…時刻情報入力部。
【図１】
2008180690.tif 000003
【図２】
2008180690.tif 000004
【図３】
2008180690.tif 000005
【図４】
2008180690.tif 000006
【図５】
2008180690.tif 000007
【図６】
2008180690.tif 000008
【図７】
2008180690.tif 000009
【図８】
2008180690.tif 000010
【図９】
2008180690.tif 000011